(57)【要約】【課題】  狭いスペースにおいても貯水槽の設置ができ、水の汲み上げも確実にでき、貯水袋を貯水槽内に簡単，確実に設定することができ、水が貯水袋に容易に貯水され、防水効果にもすぐれ、長期の水の保存にも耐え得るものとなり、貯水袋の貯水槽内からの脱着も簡単容易である地下防火貯水槽を提供する。【解決手段】  水槽本体２をコンクリート製で縦長の筒状体とし、水汲み出し口４の地上３と同一レベルにある上部位に外蓋９を載置し、該外蓋の下位に中蓋１１と袋係着用中蓋受枠１２を配置し、該袋係着用中蓋受枠の内周下部位に固定バンド２２で貯水袋１６を係着し、該袋係着用中蓋受枠の外周下部位に水槽への係止用フランジ１８を形成し、前記水汲み出し口の外周に防水ゴムカバー２３を配置した地下防火貯水槽。【選択図】        図２
2005278921.tif 000002
【特許請求の範囲】
【請求項１】
地中に埋設される水槽本体とこの水槽本体から地上に延る水汲み出し口とからなり水槽本体の内周面に袋体を配設した地下防火貯水槽において、水槽本体をコンクリート製で縦長の筒状体とし、水汲み出し口の地上と同一レベルにある上部位に外蓋を載置し、該外蓋の下位に中蓋と袋係着用中蓋受枠を配置し、該袋係着用中蓋受枠の内周下部位に固定バンドで貯水袋を係着し、該袋係着用中蓋受枠の外周下部位に水槽への係止用フランジを形成し、前記水汲み出し口の外周に防水ゴムカバーを配置したことを特徴とする地下防火貯水槽。
【発明の詳細な説明】
【技術分野】
【０００１】
本発明は、地中に埋設される水槽本体とこの水槽本体から地上に延る水汲み出し口とからなり水槽本体の内周面に袋体を配設した地下防火貯水槽に関するものである。
【背景技術】
【０００２】
従来，地中に埋設される水槽本体とこの水槽本体から地上に延びて設けられた汲み出し口とを備えた地下防火貯水槽において、水槽本体が横長であり、水槽本体の内面にシートから成る内張りを袋状にしたものがある（例えば特許文献１参照。）。
【０００３】
【特許文献１】特開平９−３９８９号公報
【発明の開示】
【発明が解決しようとする課題】
【０００４】
ところで、前記従来の技術では、水槽本体が横長であること地下防火貯水槽の設置に広いスペースが必要となると共に水を汲み上げる際に汲み出し口から離れた部位の水は水槽本体の傾斜等により水の汲み上げが確実にできない虞があり、また、水槽本体の内面にシートから成る内張りの袋状のものが簡単に設定できず、水槽本体の内面から剥がれてしまう虞もあり、シートが剥がれてしまうと貯水も汲み出し口から容易にできないと共に内張りの袋状の交換等も容易にできない虞がある、という問題がある。
【０００５】
本発明は、従来の技術の有するこのような問題点に鑑みてなされたものであり、その目的とするところは、狭いスペースにおいても貯水槽の設置ができ、水の汲み上げも確実にでき、貯水袋を貯水槽内に簡単，確実に設定することができ、水が貯水袋に容易に貯水され、防水効果にもすぐれ、長期の水の保存にも耐え得るものとなり、貯水袋の貯水槽内からの脱着も簡単容易である地下防火貯水槽を提供しようとするものである。
【課題を解決するための手段】
【０００６】
上記目的を達成するために、本発明における地下防火貯水槽は、水槽本体をコンクリート製で縦長の筒状体とし、水汲み出し口の地上と同一レベルにある上部位に外蓋を載置し、該外蓋の下位に中蓋と袋係着用中蓋受枠を配置し、該袋係着用中蓋受枠の内周下部位に固定バンドで貯水袋を係着し、該袋係着用中蓋受枠の外周下部位に水槽への係止用フランジを形成し、前記水汲み出し口の外周に防水ゴムカバーを配置したことを特徴とするものである。
【発明の効果】
【０００７】
以上のように、水槽本体をコンクリート製で縦長の筒状体とし、水汲み出し口の地上と同一レベルにある上部位に外蓋を載置し、該外蓋の下位に中蓋と袋係着用中蓋受枠を配置し、該袋係着用中蓋受枠の内周下部位に固定バンドで貯水袋を係着し、該袋係着用中蓋受枠の外周下部位に水槽への係止用フランジを形成し、前記水汲み出し口の外周に防水ゴムカバーを配置したので、狭いスペースにおいても貯水槽の設置ができ、水の汲み上げも確実にでき、貯水袋を貯水槽内に簡単，確実に設定することができ、水が貯水袋に容易に貯水され、防水効果にもすぐれ、長期の水の保存にも耐え得るものとなり、貯水袋の貯水槽内からの脱着も簡単容易である地下防火貯水槽となる。
【発明を実施するための最良の形態】
【０００８】
図１ないし図３は本発明に係る地下防火貯水槽の実施例に関するもので、図１は地下防火貯水槽の正面断面図、図２は図１の側面断面図、図３は中蓋と袋係着用中蓋受枠と貯水袋との関係を示す説明図である。
【０００９】
図において、１は地下防火貯水槽であり、該貯水槽１は水槽本体２とこの水槽本体２から地上３に延る水汲み出し口４とから構成されている。
前記水槽本体２は上下に複数に分割されたコンクリート躯体５，５，…が相互に結合して縦長の筒状体に形成され、該コンクリート躯体５，５の目地６には、防水のために例えばモクシー（商標名）のようなコーティング材が施され、目地６の外周にはゴム製の防水バンド７が挿着されている。該コンクリート躯体５のコンクリートは例えば前記モクシー（商標名）を混合して緻密化防水加工されたコンクリートを使用する。また、前記水槽本体２の内周壁の略全面には防水加工又は撥水加工が施され、水槽本体２の外周壁の略全面には腐食防止等のためにタールエポ塗装が施され、水槽本体２の内周壁には多数段の足掛具８，８，…が配設されている。
【００１０】
前記水汲み出し口４は主として地上３と同一レベルにある外蓋９と、該外蓋９を載置する外蓋受枠１０と、該外蓋９の下位に配置される中蓋１１と、該中蓋１１を載置する袋係着用中蓋受枠１２とで構成されている。
前記外蓋受枠１０は、前記最上部位のコンクリート躯体５の上位に高さ調整コンクリート躯体１３，１３，…を積重し地上３と同一レベルに配置され、該外蓋受枠１０に前記外蓋９が載置される。前記積重する高さ調整コンクリート躯体１３，１３，…の目地及び前記外蓋受枠１０と高さ調整コンクリート躯体１３の境界部位には防水のために多数のプチルゴムパッキン１４，１４，…が挿着されている。
【００１１】
前記袋係着用中蓋受枠１２の内周上部位には前記中蓋１１が螺着されるようにねじ１５が螺刻され、内周略下部位には貯水袋１６が係着される凹溝１７が形成され、外周下部位には前記水槽本体２への係止用フランジ１８が形成されている。該フランジ１８と前記高さ調整コンクリート躯体１３の境界部位及び前記最上部位のコンクリート躯体５の境界部位にも防水のための多数のプチルゴムパッキン１４，１４，…が挿着されている。
【００１２】
前記中蓋１１の側周面は前記袋係着用中蓋受枠１２のねじ１５に螺着されるようにねじ１９が螺刻され、中蓋１１の上面の略中央部には取っ手２０が設けられている。また、前記中蓋１１の側周面のねじ１９の最上部位には防水のためにゴム製の防水バンド２１が挿着されている。
【００１３】
前記貯水袋１６は、例えばポリ袋であり、袋の大きさは前記水槽本体２の内空間の大きさであり、プラスチック製の固定バンド２２で前記袋係着用中蓋受枠１２の凹溝１７に係着される。
【００１４】
２３は防水ゴムカバーであり、前記フランジ１８，高さ調整コンクリート躯体１３，１３，…，外蓋受枠１０等からなる水汲み出し口４の外周に挿着され、該防水ゴムカバー２３の略上部位と下部位はステンレス製の止めバンド２４，２４により固定されている。
【００１５】
以上のような構成からなる地下防火貯水槽１であって、地上３に縦孔を掘りコンクリート躯体５，５，…を底版から順次積重させて水槽本体２を組み立てる。そして、水槽本体２の上位に水汲み出し口４を形成して地下防火貯水槽１が完成される。該水槽本体２が縦長の筒状体であるので狭いスペースにおいても地下防火貯水槽１の設置ができる。
【００１６】
貯水袋１６は袋係着用中蓋受枠１２の凹溝１７に貯水袋１６の上部を袋を開口させた状態で挿入させて、該凹溝１７に前記固定バンド２２で固定することにより貯水袋１６は袋係着用中蓋受枠１２に係着され、貯水袋１６は水槽本体２内に簡単，確実に設定することができる。（図３参照。）そして、設定された貯水袋１６の検査等のために作業員が貯水袋１６内に侵入したい場合の安全のため貯水袋１６の内周部を上下複数個所に亘って前記足掛具８，８，…にクリップ２５，２５，…で係止させておくと、検査時には作業員が足掛具８，８，…で水槽本体２内の昇降が可能になると共にこれにより貯水時には足掛具８，８，…の存在にもかかわらず略水槽本体２内周に沿って貯水袋１６が拡げられ貯水量の増加につながる。
【００１７】
そして、地下防火貯水槽１の上位からホース等を袋係着用中蓋受枠１２内に挿入し水を流し込むことにより水は貯水袋１６に容易に貯水され、貯水袋１６は地下防火貯水槽１内に安定して配置される。そして、袋係着用中蓋受枠１２に中蓋１１を螺着することにより水は地下防火貯水槽１内に保存することができる。該保存された水は災害時等に防火用の水として利用したり、緊急時の飲み水等としても使用することができる。また、水汲み出し口４の防水対策の防水ゴムカバー２３等の挿着及び水槽本体２の外周及び内周の腐食防止，防水加工，撥水加工等の施しにより、防水効果がすぐれ、水の長期の保存にも耐え得る地下防火貯水槽１となる。
【００１８】
また、水槽本体２が縦長の筒状体であるので貯水袋１６内に貯水された水はポンプ等により確実，容易に汲み上げることができ、貯水袋１６の交換等も固定バンド２２の係着を解くだけで、貯水袋１６は袋係着用中蓋受枠１２の凹溝１７から簡単容易に取り外すことができる。
【００１９】
なお、本発明の地下防火貯水槽を寒冷地等に設置する場合には、貯水袋１６内の水が凍らないようにするために、貯水袋１６の内面及び中蓋１１の裏面に断熱性フィルムを帖着する場合がある。
【図面の簡単な説明】
【００２０】
【図１】本発明の実施例に係る地下防火貯水槽の正面断面図である。
【図２】図１の側面断面図である。
【図３】中蓋と袋係着用中蓋受枠と貯水袋との関係を示す説明図である。
【符号の説明】
【００２１】
１              地下防火貯水槽
２              水槽本体
３              地上
４              水汲み出し口
９              外蓋
１１            中蓋
１２            袋係着用中蓋受枠
１６            貯水袋
１８            フランジ
２２            固定バンド
２３            防水ゴムカバー
【図１】
2005278921.tif 000003
【図２】
2005278921.tif 000004
【図３】
2005278921.tif 000005